(57)【要約】  透明な見る領域を包含する柔軟なフード（１４）と、フードの内側の中に取り付けできる取り外し可能な支持構造体（３４）を含むレスピレータフードアセンブリ（１０）であって、支持構造体が柔軟なフードをピンと引き伸ばして、透明な見る領域における折り目の形成を妨げる。
2008543428.tif 000002
【特許請求の範囲】
【請求項１】
レスピレータフードアセンブリであって、
透明な見る領域を包含する柔軟なフードと、
該フードの内側の中に取り付けができる取り外し可能な剛化支持構造体とを含み、該支持構造体が、該柔軟なフードをピンと引き伸ばして該透明な見る領域における折り目の形成を妨げる、レスピレータフードアセンブリ。
【請求項２】
上記取り外し可能な剛化支持構造体が、上記フードに固定される、請求項１記載のレスピレータフードアセンブリ。
【請求項３】
上記フードの内側の上の複数のポケットと、
上記支持構造体上の複数のタブとを更に含み、該支持構造体を該フードに固定するために、上記取り外し可能な剛化支持構造体上の少なくとも１つのタブが、該フード上のポケットの対応する１つに挿入可能である、請求項１記載のレスピレータフードアセンブリ。
【請求項４】
上記取り外し可能な剛化支持構造体の第１部分が、上記フードの透明な見る領域と異なる光学特性を提供する、請求項１記載のレスピレータフードアセンブリ。
【請求項５】
上記取り外し可能な剛化支持構造体の第１部分が、上記フードの透明な見る領域とそろえられる、請求項４記載のレスピレータフードアセンブリ。
【請求項６】
上記取り外し可能な剛化支持構造体の第１部分が、透明な見る領域を除く上記柔軟なフードの一部分とそろえられる、請求項４記載のレスピレータフードアセンブリ。
【請求項７】
上記フードの内側の中に取り付けられる前に、上記取り外し可能な剛化支持構造体が、
該フードの下部の開口部を通るその挿入を可能にするように操作可能である、可撓性で、ほぼ平面のシートを含む、請求項１記載のレスピレータフードアセンブリ。
【請求項８】
上記取り外し可能な剛化支持構造体がそこを通る開口を有し、それが、支持構造体が上記フードの内側の中に取り付けられるときに、該フードの透明な見る領域とそろえられる、請求項１記載のレスピレータフードアセンブリ。
【請求項９】
可撓性材料から作製された気体不透過性フード、透明な見る領域を有する該気体不透過性フードの該材料、呼吸に適する空気を該フードの中に受容するための濾過空気の入口、該フードからの気体の排出を容易にするための少なくとも１つのチェック弁、及び該フードを着用者の頭部の周りに固定するための部分を有する、レスピレータフードアセンブリの改良であって、
該フードの内側の中に取り付けられる取り外し可能な剛化支持構造体であって、該フードを拡張された直立の姿勢で維持し、該透明な見る領域をピンと引き伸ばして、それを通しての着用者の見易さを高めるのに十分に堅い支持構造体を含む、改良。
【請求項１０】
上記取り外し可能な剛化支持構造体が、
上記フードの内側の中に挿入するために変形されることができる、可撓性で、ほぼ平面のシートを含む、請求項９記載の改良。
【請求項１１】
上記気体不透過性フードに関して上記取り外し可能な剛化支持構造体を固定できる締結具を更に含む、請求項９記載の改良。
【請求項１２】
上記締結具が、１つ以上のタブ、溝、連結要素、若しくはシートの周辺部付近に配置された磁石、フック・ループ式ファスナの１本以上のストリップ、接着剤、又は上記取り外し可能な剛化支持構造体と上記気体不透過性フードの間の静電気付着、或いはそれらの組み合わせから成る群から選択される、請求項１１記載の改良。
【請求項１３】
上記取り外し可能な剛化支持構造体の第１部分が、上記気体不透過性フードの透明な見る領域と異なる光学特性を提供する、請求項９記載の改良。
【請求項１４】
上記取り外し可能な剛化支持構造体の第１部分が、上記気体不透過性フードの透明な見る領域とそろえられる、請求項１３記載のレスピレータフードアセンブリ。
【請求項１５】
上記取り外し可能な剛化支持構造体の第１部分が、透明な見る領域を除く上記気体不透過性フードの一部分とそろえられる、請求項１３記載のレスピレータフードアセンブリ。
【請求項１６】
上記取り外し可能な剛化支持構造体がそこを通る開口を有し、それが、支持構造体が上記フードの内側の中に取り付けられるとき、該フードの透明な見る領域とそろえられる、請求項９記載の改良。
【請求項１７】
着用者を呼吸の危険から守るためにレスピレータフードアセンブリを使用する方法であって、
濾過空気の入口、少なくとも１つのチェック弁を包含する排気システム、及び透明な見る領域を含む可撓性フードであって、該着用者の身体の頭部を挿入するための開口部を包含する可撓性フードを提供すること、
剛化したフードアセンブリを作るために該フードの内側の中に取り外し可能な剛化支持構造体を配置すること、
該剛化したフードアセンブリを該着用者の身体の頭部の周りに置くこと、
該呼吸の危険が該剛化したフードアセンブリの内側に入るのを妨げるために、該着用者の周囲で該剛化したフードアセンブリを封止すること、
を含む、方法。
【請求項１８】
上記取り外し可能な剛化支持構造体を上記可撓性フードに固定することを更に含む、請求項１７記載の方法。
【請求項１９】
上記配置する工程が、
上記取り外し可能な剛化支持構造体を第１のほぼ平面の状態から第２の三次元の状態まで操作することを含む、請求項１７記載の方法。
【請求項２０】
上記配置する工程が、
上記剛化支持体上の複数のタブを提供することと、
少なくとも１つのタブを上記可撓性フードの内側の上に形成されたそれぞれのタブ受口の中に挿入することを含む、請求項１７記載の方法。
【請求項２１】
上記取り外し可能な剛化支持構造体が、剛化支持体が上記フードの内側の中に配置されるときに、該フードの透明な見る領域とそろえられる開口を有する、請求項１７記載の方法。
【請求項２２】
レスピレータフードアセンブリであって、
フード構造体が保管及び運搬のためにつぶされる第１状態と、該フード構造体が呼吸の用途のために拡張される第２状態とを有する可撓性フード構造体と、
該フード構造体に取り付けられるときに、該フード構造体をその第２状態に置き、それによって、透明な見る領域を包含する該フード構造体の少なくとも前部分と該フード構造体の側面がピンと引き伸ばされる、該フード構造体用の取り外し可能な剛化支持構造体、並びに
該取り外し可能な剛化支持構造体を該可撓性フード構造体に取り付けるための手段、
を含む、レスピレータフードアセンブリ。
【請求項２３】
上記取り外し可能な剛化支持構造体が、材料の単一シートである、請求項２２記載のレスピレータフードアセンブリ。
【請求項２４】
上記取り外し可能な剛化支持構造体が、フード構造の中に挿入される、請求項２２記載のレスピレータフードアセンブリ。
【請求項２５】
取り付けるための手段が、１つ以上のタブ、溝、連結要素、スナップ、フック・ループ式ファスナ、磁石、接着剤、上記可撓性フードを上記可撓性枠組アセンブリに縫い付けること、上記取り外し可能な剛化支持構造体の材料と該可撓性フードの材料の間の静電気付着、又はこれらの組み合わせから成る群から選択される、請求項２２記載のレスピレータフードアセンブリ。
【発明の詳細な説明】
【技術分野】
【０００１】
レスピレータフードは、呼吸の保護のために使用され、作業者の顔、頭、及び毛髪を汚染から守る。
【背景技術】
【０００２】
レスピレータフードは、化学物質の皮膚吸収の危険を低減する。顔用の小さい人工呼吸装置は、顔面の毛髪、異常な寸法の顔の特徴、又は働き手の口及び鼻の周囲で適切な封止を行うことの困難さを増す可能性があるその他の特徴を有する人々には機能しないので、レスピレータフードは、作業者の顔及び頭全体を覆うという長所を提供する。逆に、全身のレスピレータスーツは嵩高で扱い難く、着用者の動きを妨げることが多い。更に、全身スーツに関連する費用は、フードが適切な保護を提供する場での使用度を減らす。
【０００３】
レスピレータフードは、着用者の頭部及び首を覆う。シュラウド（覆い）部分は、着用者の肩のあたりを覆い被り、その人の周りの封止を提供することができる。更に、追加の内側のシュラウドが着用者の他の衣類に押し込まれて、追加の保護を提供してもよい。一般に、フードは衝突の衝撃の保護を提供しない。レスピレータフードは、可撓性であるように作製されることが多い。空気は、一般に、前又は後に取り付けられたホースを通ってフードの中に供給される。そのようなレスピレータフードは、多くの製造業者から入手可能であり、ミネソタ州セントポールのミネソタマイニングアンドマニュファクチャリング社（Minnesota Mining and Manufacturing Company）が挙げられる。フードは、一般に、表面にポリマーコーティングを有する不織布材料から作製される。フードは、紙、布、又は追加のポリマーから作製されることもできる。多くの場合、フードのために選択される材料は、その材料への流体の流れを防ぐものである。
【０００４】
ほとんどの場合、フードの少なくとも一部分は透明である。この透明な部分は、一般に、着用者が周囲の環境を見ることができる領域に位置している。フードは、スプラッシュの危険に対する上半身の保護を提供し、加えて着用者に視界を提供する。レスピレータフードは、ヘッドサスペンション又は堅いキャップなど、ヘッドギアと組み合わせて使用されてもよい。ヘッドサスペンション又は堅いキャップは、着用者の頭の上のフードを支え、着用者の顔とフードの間に少なくとも最小限の空間を設ける。フードは分離可能な方法でヘッドギアに取り付けられてもよい。
【発明の開示】
【発明が解決しようとする課題】
【０００５】
堅いキャップの構造は、フードの形状にいくらかの限定を加える場合がある。堅いキャップ、又はフードに挿入されたヘッドサスペンションのどちらを伴っても、フードの材料は充分に可撓性であって、フードが非可撓性構造であった場合に着用者が観察することができない狭い領域内外に、着用者が出入りするのを可能にすることができる。フード材料のこの可撓性のために、フードは着用者の視線の中に折り目を包含することが多く、それが時々着用者の視野を妨げることがある。
【課題を解決するための手段】
【０００６】
一実施形態では、レスピレータフードアセンブリは、透明な見る領域を包含する柔軟なフードと、該フードの内側の中に取り付けができる取り外し可能な剛化支持構造体とを含み、支持構造体は、柔軟なフードをピンと引き伸ばして透明な見る領域における折り目の形成を妨げる。
【０００７】
他の実施形態では、本発明は、可撓性材料から作製された気体不透過性フードを有するレスピレータフードアセンブリの改良であって、該気体不透過性フードの材料は、透明な見る領域、呼吸に適する空気をフードの中に受容するための濾過空気の入口、フードからの気体の排出するのを容易にするための少なくとも１つのチェック弁、及び着用者の頭部の周りでフードを固定するための部分を有する。改良は、フードの内側の中に取り付けられる取り外し可能な剛化支持構造体を含み、支持構造体は十分に堅く、フードを拡張された直立の姿勢で維持し、透明な見る領域をピンと引き伸ばして、それを通しての着用者の見易さを高める。
【０００８】
他の実施形態では、レスピレータフード組み立て品は、保管及び運搬のためにフード構造体がつぶされる第１状態と、フード構造体がレスピレータ用途のために拡張される第２状態とを有する可撓性フード構造体を含む。レスピレータフードアセンブリは、フード構造体に取り付けられるときにフード構造体を第２状態に置き、それによって、透明な見る領域を包含するフード構造体の少なくとも前部分とフード構造体の側面がピンと引き伸ばされる、フード構造体用の取り外し可能な剛化支持構造体、並びに取り外し可能な剛化支持構造体を可撓性フード構造体に取り付けるための手段も含む。
【０００９】
他の実施形態では、本発明は、着用者を呼吸の危険から保護するためにレスピレータフードアセンブリを使用する方法である。濾過空気の入口、少なくとも１つのチェック弁を包含する排気システム、及び透明な見る領域を含む可撓性フードであって、着用者の身体の頭部を挿入するための開口部を包含する可撓性フードが提供される。取り外し可能な剛化支持構造体は、剛化されたフードアセンブリを作るためにフードの内側の中に取り外し可能に配置される。剛化されたフードアセンブリは着用者の身体の頭部の周りに置かれ、呼吸の危険要因がフードアセンブリの内側に入るのを妨げるために封止される。
【００１０】
本発明の上述の発明の開示は、本発明の開示された各実施形態もあらゆる実施も記載しようと意図していない。次の図面及び発明を実施するための最良の形態は、実例となる実施形態をより具体的に例示するものである。
【００１１】
用語解説
「ピンと引き伸ばす」は、しっかりと引っ張られるか又は引き伸ばされて、弛まないことを意味する。
【００１２】
「拡張された直立の姿勢」は、取り外し可能な支持構造体の挿入でレスピレータフードによってとられる形を意味する。
【００１３】
「光学特性」は、視力に関する特性、特色、又は能力、及び目の保護に関する特性又は能力を意味する。
【００１４】
「取り外し可能な剛化支持構造体」は、レスピレータフードに挿入及び取り出しの操作を行うことができ、レスピレータフードに構造を付加し、外側表面薄層をピンと引き伸ばす挿入物を意味する。
【００１５】
「剛化されたフードアセンブリ」は、フード材料を強化し、側壁が動く、変形する、又は曲がるのをより困難にする挿入物を有するレスピレータフードを意味する。
【００１６】
「透明な見る領域」は、光を透過することができ、その結果、周囲の物体又は像(image)が着用者に見えるレスピレータフードの部分を意味する。
【発明を実施するための最良の形態】
【００１７】
図１は、レスピレータフード１４を着用している人の斜視図である。かかるレスピレータフードは、当該技術分野の中で既知である。図示されたもののようなレスピレータフードは、可撓性フードである。可撓性フードは、薬学、医学、軍事、及び原子力産業、並びに関連産業で使用されている。レスピレータフードは、全身スーツと比較して着用者に高いレベルのレスピレータ保護を提供する。レスピレータフードは、使用環境によっては何年間も再利用可能であり得る。
【００１８】
レスピレータフード１４は、上部１２、及びシュラウド１８を包含する下部１６を含む。図示される実施形態では、フード１４は、気体不透過性材料の外側表面薄層１９から構成される。例えば、フード１４の外側表面薄層１９は、ポリウレタンの厚さ０．５ｍｍのシートを材料として作られてよい。フード材料は、化学物質に耐性があるが環境に優しい。ポリ塩化ビニル（ＰＶＣ）を包含する他のポリマー類、又はコーティングされた布地も、そのようなレスピレータフードの構成において使用される。図示されるように、フード１４は透明である。代わりの実施形態では、フード１４は、着用者がフード１４の外側表面薄層１９の一部分を通して見えるのを可能にする透明なバイザー部分を有する透明でない、不透明な、又は色付きの部分を包含してもよい。
【００１９】
図１では、図示されるフード１４は、二部分の材料、円形の頂部２０及び円筒形の側壁２２から構成され、それらは継ぎ目２４により接続されている。継ぎ目２４は、ヒートシール、接着剤、高周波（ＲＦ)溶接、絶縁シール、又は気体不透過性である同様の恒久的な取り付けにより壁２２と頂部２０を合わせて接合する。フード１４は、前部分１４ａ、左及び右側部分１４ｂ及び１４ｃ、並びに後部分１４ｄを有する。
【００２０】
シュラウド１８は、同じか又は同様の可撓性のある気体不透過性材料から構成されてよい。シュラウド１８は透明である必要はない。シュラウドは、着用者の身体の首及び肩部分を覆うように作用し、一般に、空気がフード１４の内側に入るのを妨げる構造を包含する。フード及びシュラウドは継ぎ目２６により接続され、それは、ヒートシールされた継ぎ目か又は継ぎ目２４に似た他の同様の恒久的な取り付けであってもよい。シュラウド１８は、着用者の頭部がフード１４の中に挿入されるのを可能にする開口部２７を包含する。
【００２１】
フード１４は、１つ以上の一方向弁２８も包含する。各一方向弁２８は、空気がフード１４の内側から逃げるのを可能にし、同時に外側の空気がフード１４の内側に入るのを防ぐ。フード１４は空気の入口３０も包含する。一般に、空気の入口３０は、外側の空気を濾過し、濾過された空気をフード１４の内側に移動させる濾過システム（図示せず）まで延びるホース（図示せず）に接続されている。これは、濾過されていないと呼吸に適さない可能性がある外側の空気と着用者が接触するのを防ぐ。
【００２２】
フード１４は可撓性材料から作製されるので、フード１４の外側表面薄層１９は撓ることが可能であり、それがフード１４内にひだ、うねり、及び折り目３２を作る。着用者のための見る領域３６として役割を果たす、フード１４のその部分内に配置される場合、折り目３２は、着用者にとって視覚的なゆがみを作り、加えて、フード１４が着用者の顔又は頭に接触するのが可能となって、身体的に気が散ることとなる。見る領域３６は前部分１４ａに広がり、多くの場合、少なくともその側部分１４ｂ及び１４ｃへと延びている。
【００２３】
図２は、本発明の構造的挿入物３４を包含するレスピレータフードアセンブリ１０を着用している人の斜視図である。図示されるように、レスピレータフードアセンブリ１０は、トップ部分１２を有するフード１４と、シュラウド１８を包含する下部１６を含む。加えて、挿入物３４は、レスピレータフードアセンブリ１０の一部分として存在する。挿入物３４は、材料のシートから作製された取り外し可能な剛化支持構造体であり、それが開口部２７に挿入されて、剛化されたフードアセンブリ構造体を作る。挿入すると、挿入物３４は、着用者の見る領域３６からいかなる折り目も取り除くために、フード１４の外側表面薄層１９の一部分（その側面１４ｂ及び１４ｃと前１４ａの少なくとも一部分、並びにその見る領域３６を包含する）をピンと引き伸ばすように作用し、それをほぼ平らな表面にする。
【００２４】
一実施形態では、挿入物３４は、０．７５ｍｍの厚さを有するポリエチレンテレフタレートグリコール（ＰＥＴＧ）のシートである。或いは、挿入物３４は、ポリカーボネート、アセテート、若しくは結晶性ポリマーのシート、又は同様の材料から構成される。挿入物３４は、十分に可撓性であるので、フードアセンブリ１０の中への挿入のために変形させることができる。挿入物３４の可撓性は、フードアセンブリ１０の可撓性と剛性の間の所望されるバランスを得るためにフード１４の外側表面薄層１９の可撓性に応じて変えられる。例えば、フードアセンブリ１０の剛性は、フード１４の外側表面薄層１９の厚さに対する挿入物３４の厚さの割合を変えることにより、及び／又は関係する材料を変えることにより調整又は調節されることができる。一実施形態では、挿入物３４の厚さは、外側表面薄層１９の厚さの１倍半である。図１と図２を比較するときに見ることができるように、フード１４の中に挿入物３４を挿入すると、折り目３２が除去され、フード１４は挿入物３４により直立の姿勢で構造的に支持される。挿入物３４は、側壁２２を支持するのに十分な剛性を提供する厚さであり、フードアセンブリ１０の中で円筒形の構造体を作る。
【００２５】
図３は、フードアセンブリ１０の外側の挿入物３４の平面図である。一実施形態では、挿入物３４はほぼ矩形の形であり、上端４６、下端４４、並びに側端４０及び４１を包含する。挿入物３４は、側端４０及び４１の各々から延びる１つ以上のタブ３８を包含する。同様に、１つ以上のタブ４２が、下端４４から延びてもよい。図示される実施形態では、上端４６はタブを包含せず、挿入物３４の操作で堅いキャップ構造体６０を支持する真っすぐな端として作製される（図５で見て分かるように）。側端４０及び４１（及び挿入物３４）の高さＨは、フード１４の側壁２２の高さにほぼ対応している。上端４６及び下端４４（及び挿入物３４）の長さＬは、フード１４の頂部２０の周囲の少なくとも一部分である。挿入物３４の特定の寸法は、フード１４の寸法と、挿入物３４とフード１４の間の固定手段の相対的な配置による。
【００２６】
図示される実施形態では、挿入物３４は、フード１４の一方向弁２８の周囲に挿入物３４を配置することを可能にする開口４８も包含する。図３に図示される実施形態では、材料の一部分が、周辺部５０により画定されるように挿入物３４のシートから取り除かれ、それによって開口５２を作る。挿入物３４がフードアセンブリ１０の中に置かれるとき、開口５２は見る領域３６とそろえられ、着用者が、フード１４のピンと張った比較的しわのない透明な外側表面薄層１９だけを通して妨げられない視界を有するのを可能にする。
【００２７】
図４は、フード１４の中に取り付けられる挿入物３４の斜視図である。図４では、挿入物３４は、シートをシュラウド１８の開口部２７の周辺部より小さい外側周囲を有する円筒形に巻くことにより操作される。挿入物３４がフード１４の内側の中に置かれると、挿入物３４は、タブ３８及び４２がフード１４内のポケット５４及び５６の中にそれぞれに挿入されるように操作される。これが、挿入物３４をフード１４の中で一時的に固定する。
【００２８】
挿入物３４は、平らなシートとして製造される。シートは、柔軟で可撓性であって、フード１４の内側の中への挿入のためにシートがほぼ円筒形又は円錐形の形に巻かれるのを可能にする。図４に図示されるように、着用者は、フード１４の中への挿入のために挿入物３４のシートを円筒形に巻く。着用者は、その挿入のために巻かれた形体で、挿入物３４の重なり合った領域５８を把持する。挿入物３４は平たい単一シートとして形成されるので、着用者が、重なり合った領域５８の把持を放すとすぐに、挿入物は平らになるか又は広がろうとする。可撓性側壁２２（外側表面薄層１９）に接触して、側壁２２に挿入物３４（上で説明したように、可撓性であり、フード１４の外側表面薄層１９より剛性の材料から形成される）の円筒形の形をとらせるまで、シートのバネ力が挿入物３４を拡張させる。外側表面薄層１９はこのようにしてピンと引っ張られ、外側表面薄層１９が挿入物３４の表面に接して引っ張られると、それが挿入物３４の形をとり、外側表面薄層１９における折り目及びしわが平らになることを意味する。
【００２９】
図５は、図２の線５〜５に沿ってとったフードアセンブリ１０の横断面図である。図５は、その内側に堅いキャップ部分６０を包含するフード１４と、その後部分１４ｄの側壁２２の内側表面の上のポケット５４を説明している。ポケット５６の一部は、側壁２２の内側表面の上に、その下端に隣接して示されてもいる。挿入物３４も、フード１４の内側の中にあり、ポケット５４及び５６それぞれの中に挿入されるそのタブ３８及び４２を有する。挿入物３４の側端４０と４１は、接することはない。ポケット５４は対応するように位置するので、タブ３８がその中に挿入されるとき、挿入物３４は、可撓性フード１４の材料に接触して拡張しフードの内側にほぼ円筒形の空洞を形成する、ほぼ円筒形の形である。挿入物３４の上端４４が堅いキャップ６０に接触し、同時にタブ４２がポケット５６の中に挿入され、フード１４の中の挿入物３４を更にそろえて、フード１４の材料のピンと張った拡張及び引き伸ばしを容易にする。このようにして挿入物３４がフード１４の中で取り付けられて、フードはほぼ円筒形の形をとる。
【００３０】
堅いキャップ６０は、着用者の頭の受容のために、凹んだ底面を包含する。凹んだ底面は、フード１４の頂部２０内のほぼ中央に位置する。それ故に、挿入物３４が取り付けられ、フード１４が着用者の頭の上に置かれると、堅いキャップ６０は、フード１４を着用者の頭の周りで位置決めして、着用者の頭部の正面及び後部とフード１４の内側の間に空間を残す。それ故に、着用者の気を散らしたり苛立たせたりしないように、フード１４の側壁２２の材料が着用者の頭と接触するのが妨げられる。
【００３１】
図６は、可撓性フード用剛化挿入物の代わりの実施形態の平面図である。図示される実施形態では、挿入物８０は、上端８１（長さＬ１を有する）、下端８２（長さＬ２を有する）、並びに２つの側端８３及び８４を有する、高さＨのほぼ台形の形の外側周辺部を包含する。高さＨは、フード１４の側壁２２の高さとほぼ一致する。上端８０及び下端８２の長さＬ１及びＬ２は、頂部２０の周辺部及びフード１４の継ぎ目２６の長さの少なくとも一部分である。図示されるように、上端の長さＬ１は下端の長さＬ２より短い。代わりの実施形態では、長さＬ１は長さＬ２より長い。
【００３２】
挿入物８０は、上方及び下方の平行な端の付近に一連の締結具８６を包含する。図６に図示される実施形態では、締結具８６は、スナップ又は他の連結要素であって、スナップは挿入物８０の上に位置している。対応するソケット又は他の連結要素が、フード１４の側壁２２の内側の上に位置している。挿入物８０を取り付けるために、挿入物は図４に図示されるように巻かれ、フード１４の開口部の中に挿入され、次に、締結具８６の対応するスナップとソケットが共に押圧されて、挿入物８０を固定する。
【００３３】
挿入物８０は、周辺部８８により画定されるバイザー部分９０も包含する。この実施形態では、バイザー部分９０は挿入物８０における開口であってもよく、又は挿入物８０の残部のものと異なる光学特性を有してもよい。例えば、バイザー部分９０は、色が付けられる、偏光させる、拡大する、紫外線耐性、若しくは空気で運ばれるくずから着用者の目を遮蔽するためのより硬い材料、又は同様の特性であってもよい。バイザー９０は、微小な繰り返される表面など、表面に構造的なパターンを包含してもよい。加えて、フードアセンブリ１０に取り付ける前にバイザーは、滑らかにする液体又はシリコンを包含する別の物質でコーティングされてもよい。そのようなマイクロ複製表面（micro-replicated surface）又は潤滑剤は、バイザー部分１０とフード１４の側壁２２の内側表面の間の接触面上のエアポケットの形成を妨げる。
【００３４】
挿入物８０はバイザー部分９０を包含し、内側表面、すなわち着用者に最も近い表面の上のコーティングを包含してもよい。コーティングは、補助的光学特性を更に含むことができる。例えば、コーティングは、曇り防止剤（antifogging agent）、又は耐ひっかきコーティングであってよく、着用者の品目（ピアス、眼鏡など）で表面を傷つけて、着用者に視覚的な障害物を作るのを防ぐ。同様に、バイザー部分９０が透明な結晶性ポリマーから形成される一方、挿入物８０の残部は、異なる光学特性（色を付けられる又は不透明など）を包含してもよい。或いは、挿入物８０は、バイザー部分９０の識別できる周辺部８８なしで同じ光学特性を包含する単一シートであってもよい。
【００３５】
挿入物３４上のタブ及び挿入物８０上の締結具に加えて、本発明のフードアセンブリの挿入物は、フード及び挿入物の材料を取り付けるための共通の締結手段、又は異なる締結手段の組み合わせのいずれかにより、フードに固定されることができる。締結具は磁石であることができ、そして磁石が挿入物をフードに取り付け、且つ固定するために、フードは鉄の挿入物を包含する。フードがポケット又は溝を包含してもよい一方、挿入物は、先に記載されたようなタブなど、対応する構造体を包含するか、又は挿入物は、一方の側の１つ以上のタブが、挿入物のもう一方の側の溝などに受容されるような寸法であってもよい。或いは、フックのテープの１本以上のストリップが、挿入物の上端及び下端近くに取り付けられて、対応するループのテープのストリップが、フードの側壁の内側表面に取り付けられてもよい（或いは逆もまた同様）。フードの内側の適切な領域の中に挿入物を挿入及び配置すると、フック・アンド・ループのテープのストリップの各対向する対が合わせて押圧されて、挿入物を適所に固定する。挿入物は、高いゲージの糸を使用してフードを挿入物に縫い付けるか又は紐で結ぶこと（lacing）により、固定されることもできる。フードの中に挿入物を配置のときに、着用者が接着剤を活性化するためにフードと挿入物を合わせて押圧するように、位置変え可能な感圧性接着剤が挿入物の外側周辺部に塗布されてもよい。用語「位置変え可能な」は、接着剤を包含する挿入物が、粘着性を実質的に失うことなく少なくとも２回、清潔な固体の表面に接着され、且つ取り除かれることができることを意味する。同様に、フードの材料は、フードの側壁の内側との接触で挿入物を固定する静電気付着フィルムを包含するように設計及び製造されてもよい。
【００３６】
挿入物３４及び８０は、フード１４から取り外し可能である。これは、挿入物が取り外されると、フード１４の増加した可撓性という長所を作り、その結果、それが堅いフードであるか又は本発明の挿入構造体によってより堅い構造体として支持される場合より、より広い領域に適合することができる。同様に、挿入物が取り外されると、フードはつぶされて、使用の必要があるまで比較的平たく保管されることができる（挿入物も同様にその平らになった状態で保管されることができる）。剛化したフードが必要であるとき、挿入物が再度挿入され、フード１４に対して固定されて、図２に示される形体をとってもよい。
【００３７】
先に開示されたように、図３の実施形態における挿入物が取り付けられたフードは、ほぼ円筒形の形を有する。挿入物８０は、レスピレータフードアセンブリ１０のために異なる形を作ることができる、フード１４用の可撓性枠組アセンブリである。挿入物８０をフードの中に取り付けると、フード１４の可撓性のあるフード材料をピンと引き伸ばすことにより、ほぼ均一な見る領域を作る。外側表面薄層１９は、挿入物８０によりピンと引っ張られ、前部分１４ａと側部分１４ｂ及び１４ｃの一部分の外側表面薄層１９が挿入物８０の表面に接して引っ張られると、外側表面薄層１９における折り目及びしわが平らになることを意味する。後部分１４ｄ及び／又は側部分１４ｂ及び１４ｃの一部分は、挿入物８０と接触せず、可撓性のある領域のままである。この領域は、対応する上端８１及び下端８２の長さＬ１及びＬ２の差により作られる。その結果が円筒形の側壁を有する構造体であるが、上及び下の円形の表面は必ずしも互いに平行ではない。フード１４の前部分１４ａが、見るために固定化される一方、フード１４の後部分１４ｄの領域は可撓性のままであって、着用者がより狭い領域に入り込むのを可能にする。全ての実施形態では、本発明の挿入物は、挿入物がフードの内側の中に取り付けられるとき、可撓性のあるフード材料における折り目の形成を妨げて、ほぼ均一な見る領域を作る。
【００３８】
好ましい実施形態を参照しながら本発明を説明してきたが、本発明の精神及び範囲から逸脱しない形態及び詳細の変更を行えることが、当業者であれば理解できるであろう。
【００３９】
本発明は図面を参照して更に説明されるが、これら幾つかの図面を通して同じ構造体は同じ数字で表わされる。
【００４０】
上で明らかにした図面は、本発明の多くの実施形態を示しているものの、本文中に特記されたように他の実施形態も考察される。全ての場合において、この開示は、制限条件としてではなく、代表的な例として本発明を提供する。本発明の原理の範囲及び精神の中で、多くの他の修正及び実施形態が、当業者によって考案され得ることを理解されたい。
【図面の簡単な説明】
【００４１】
【図１】レスピレータフードを着用している人の斜視図。
【図２】本発明の構造的挿入物を包含するレスピレータフードアセンブリを着用している人の斜視図。
【図３】フードアセンブリの外にある挿入物の平面図。
【図４】フードアセンブリの中に取り付けられている挿入物の斜視図。
【図５】図２の線５〜５に沿ったフードアセンブリの横断面図。
【図６】可撓性フード用挿入物の代わりの実施形態の平面図。
【図１】
2008543428.tif 000003
【図２】
2008543428.tif 000004
【図３】
2008543428.tif 000005
【図４】
2008543428.tif 000006
【図５】
2008543428.tif 000007
【図６】
2008543428.tif 000008
【国際調査報告】
2008543428.tif 000009
2008543428.tif 000010
2008543428.tif 000011